(57)【要約】  【課題】扉正面のスペースを最大限に活用し、商品見本パネルを意匠的に表示できると共に、商品見本パネルごとに個別点灯が可能で、商品の選択時の操作ミスを低減した自動販売機を提供する。  【解決手段】商品展示スペースの前面に格子状のパネル保持部材７３を構成し、複数の商品を表示する商品見本パネル７５を挿入した樹脂製の化粧パネル７４をパネル保持部材７３に係合させて、商品展示部３３を形成し、商品ごとに商品展示スペース７７を区画して、内部に商品選択スイッチ８０を備えることで、化粧パネル７４をワイドに配置構成でき、かつその化粧パネルを押圧操作することで、商品を購入することができるので、操作ミスを低減し、商品見本の個別アピールが可能となり、また化粧パネル全面が宣伝パネルとして活用できる。【選択図】図５
2007293483.tif 000002
【特許請求の範囲】
【請求項１】
自動販売機の外扉前面に設けられ視認可能に形成された樹脂製の化粧パネルと、前記化粧パネルの後方に商品見本パネルと前記商品見本パネルを後方から照らす照明手段とを有する商品展示スペースを備えた自動販売機において、前記商品展示スペースは前記商品見本パネルごとに区画形成されることを特徴とする自動販売機。
【請求項２】
化粧パネルは商品見本パネルごとに可動自在に構成し、商品展示スペース内に押圧動作により作動する商品選択スイッチを備え、前記化粧パネルの押圧動作により前記商品選択スイッチが連動し、商品を搬出することを特徴とする請求項１に記載の自動販売機。
【請求項３】
商品展示スペース内に、販売状況等を表示する表示ランプを備え、照明手段と前記表示ランプをＬＥＤ素子としたことを特徴とする請求項１に記載の自動販売機。
【請求項４】
商品見本パネルと表示ランプの間に、透明樹脂製の導光部材を備え、前記導光部材によって前記表示ランプの光源を前記商品見本パネルに導くことを特徴とする請求項３に記載の自動販売機。
【請求項５】
自動販売機の外扉前面に設けられ視認可能に形成された樹脂製の化粧パネルを有し、前記化粧パネルの後方に商品見本パネルと、前記商品見本パネルを後方から照らす照明手段と、販売状況等を表示する表示ランプと、押圧動作により作動する商品選択スイッチとを有する商品展示スペースを備えた自動販売機において、前記商品展示スペースは隣合う前記商品見本パネルを区画形成する照明ケース体を備え、前記照明ケース体には少なくとも前記照明手段と前記表示ランプとが配置固定され、ユニット化されたことを特徴とする自動販売機。
【発明の詳細な説明】
【技術分野】
【０００１】
本発明は、自動販売機の外扉の正面に配置する複数種の商品見本パネルを装備して、照明したい商品見本パネルを任意に照明できる自動販売機の表示装置に関するものである。
【背景技術】
【０００２】
近年、この種の自動販売機の表示装置は、集客性の向上を図るため、自動販売機を大型化にして、販売品種を増加させ、消費者の購買意欲を増加させることが要求されている。そのため、販売商品を分かり易く表示する方法として、販売商品の図又は写真を印刷した広告パネルを扉の正面に配置し、さらには蛍光灯等の照明装置により広告パネルを明るく光らせ、より視認性を高め、販売商品の理解を深めるようにしているものがある（例えば、特許文献１参照）。
【０００３】
また、照明手段として発光ダイオードを用い、任意の商品見本やポスターパネル等を強調して照明でき、照明したい箇所を効果的に照明できるものもある（例えば、特許文献２）。
【０００４】
以下、図面を参照しながら、従来の自動販売機について説明する。
【０００５】
図８、図９は、特許文献１に記載された従来の自動販売機のディスプレイ装置を示すものである。
【０００６】
図において、自動販売機の前面をなす扉１と、扉１の所定位置には販売操作機能として、商品購入者が購入商品金額を投入する硬貨投入口２と、各販売商品毎に設けた商品選択釦３と、選択した商品を取出す商品取出口４とが設けられている。さらに、商品購入者が各販売商品の理解を深めるため、商品選択釦３の近傍には商品表示窓５を設けられ、商品表示窓５と勘合する形状であり、透明樹脂の化粧パネル６と、その内面に取付けた広告パネル７から構成されている。
【０００７】
広告パネル７の取付け構造としては、商品表示窓５の上下位置の扉１に固着され、商品表示窓５の仕切りをなす仕切り板８と、樹脂成型で形成されたパネル支え板９を設け、化粧パネル６との間に所定寸法の隙を設けるよう上部支え９ａと、下部支え９ｂとを形成し、前記隙に広告パネル７を挿入して取り付ける。また、商品選択釦３の配線を固定するよう配線クランプ９ｃが形成されて、仕切り板８と固着するように子ネジ１０で締結されている。扉１の内面には、広告パネル７に照射するよう照明装置１１を設けてある。
【０００８】
すなわち、商品表示窓５の上下に設けたパネル支え板９の隙に広告パネル７を差込むことで、広告パネル７が固定でき、照明装置１１により広告パネル７に照射されて明るく光らせることになる。
【０００９】
また、図１０は、特許文献２に記載された従来の自動販売機を示すものである。
【００１０】
図において、外扉１２前面に設けられ、商品見本１３を展示する展示空間１４に、商品見本としてディスプレイシート１３によって簡易的に構成し、商品見本１３の前方上下および背後からＬＥＤ素子１５の照射具合を調節して、平面状の商品見本１３を立体的に浮かび上がらせて展示でき、購買意欲をそそるディスプレイ効果を演出できる。
【特許文献１】実開平３−６６４７６号公報
【特許文献２】特開２００２−３５８５６１号公報
【発明の開示】
【発明が解決しようとする課題】
【００１１】
しかしながら上記従来の特許文献１の構成では、せっかく設けた照明構造は、扉１に設けた商品見本となる複数個の広告パネル７全体に照射され、広告パネル７は同時に点灯又は消灯のみが可能となり、個々の商品見本ごとに点灯することができず、特に新製品などの個別に商品をアピールしたい場合の宣伝効果に欠ける。したがって、特に宣伝を行いたい商品については、特別にステッカーを追加したり、広告パネル７の絵柄を変更して商品の特徴を伝える方法を設け、余計なコストアップや扉１の意匠を損なう課題を有していた。
【００１２】
また、特許文献２の構成では、個々の商品見本１３は、隣に配置された照明の影響を受けて、演出したい照度、色彩等が得られないという懸念がある。ディスプレイシート１３の前後側にＬＥＤ素子１５を備えているために、電照板５とディスプレイシート１３の間にＬＥＤ素子１５があるため、利用者から、電照板５を通してＬＥＤ素子１５が見えるので、展示空間１４が非常に煩雑になり、購買意欲を低下するという懸念がある。
【００１３】
本発明は上記従来の課題を解決するもので、扉正面のスペースを最大限に活用でき、なおかつ商品見本あるいは広告パネルを意匠的に美しく表示すると共に、化粧パネルに照射する照明構造の点灯方法の変更が可能になり、待機時又は販売動作において、商品購入者への案内を容易にすることを目的とする。
【００１４】
また、個々の商品見本をアピールするとともに、ＬＥＤ素子が外部から見えず、視覚的にも購買意欲を高めた自動販売機を提供することを目的とする。
【課題を解決するための手段】
【００１５】
上記従来の課題を解決するために、本発明の自動販売機は、自動販売機の外扉前面に設けられ視認可能に形成された樹脂製の化粧パネルと、前記化粧パネルの後方に商品見本パネルと前記商品見本パネルを後方から照らす照明手段とを有する商品展示スペースを備えた自動販売機において、前記商品展示スペースは前記商品見本パネルごとに区画形成されるものである。
【００１６】
これによって、点灯した照明装置は隣接する化粧パネルへの光洩れが無く、化粧パネルは個別に点灯が可能になることで、販売待機時や販売動作時の照明装置の点灯方法を変更することにより、より個性的な化粧パネルの表示が可能になり、宣伝効果の高い中身商品の案内ができる。
【００１７】
自動販売機の外扉前面に設けられ視認可能に形成された樹脂製の化粧パネルを有し、前記化粧パネルの後方に商品見本パネルと、前記商品見本パネルを後方から照らす照明手段と、販売状況等を表示する表示ランプと、押圧動作により作動する商品選択スイッチとを有する商品展示スペースを備えた自動販売機において、前記商品展示スペースは隣合う前記商品見本パネルを区画形成する照明ケース体を備え、前記照明ケース体には少なくとも前記照明手段と前記表示ランプとが配置固定され、ユニット化されたものである。
【００１８】
これによって、商品見本パネルごとに商品展示スペースが区画形成されるので、あらかじめ照明ケース体をユニット化しておくことで、作業効率を高めることができる。
【発明の効果】
【００１９】
本発明の自動販売機は、商品購入者は購入する商品の商品見本を設けた化粧パネルを直接操作することにより商品選択が可能になり、購入商品の選択誤りを低減できる。さらに、化粧パネルを個別点灯又は消灯等が可能になり、特に推奨したい商品には点灯方法や照度、色彩等を変更し、商品購入者への商品アピールが向上し、宣伝効果を高めることや、自動販売機全体のデザインイメージを変えることにもなり、購買意欲を高めることができる。
【発明を実施するための最良の形態】
【００２０】
請求項１に記載の発明は、自動販売機の外扉前面に設けられ視認可能に形成された樹脂製の化粧パネルと、前記化粧パネルの後方に商品見本パネルと前記商品見本パネルを後方から照らす照明手段とを有する商品展示スペースを備えた自動販売機において、前記商品展示スペースは前記商品見本パネルごとに区画形成されることにより、これによって、点灯した照明装置は隣接する化粧パネルへの光洩れが無く、化粧パネルは個別に点灯が可能になることで、販売待機時や販売動作時の照明装置の点灯方法を変更することにより、より個性的な化粧パネルの表示が可能になり、宣伝効果の高い中身商品の案内することができる。
【００２１】
請求項２に記載の発明は、請求項１に記載の発明にさらに、化粧パネルは商品見本パネルごとに可動自在に構成し、商品展示スペース内に押圧動作により作動する商品選択スイッチを備え、前記化粧パネルの押圧動作により前記商品選択スイッチが連動し、商品を搬出することにより、これによって、商品購入者は化粧パネルの押圧操作により、購入する商品の選択が可能となり、扉正面への商品選択釦が不要となるため、その分のスペースで化粧パネルの拡大化が図れ、商品購入者への表示内容の理解が高まる。さらには電照面積の拡大により、明るい化粧パネルで宣伝効果が増加することができる。
【００２２】
請求項３に記載の発明は、請求項１に記載の発明にさらに、商品展示スペース内に、販売状況等を表示する表示ランプを備え、照明手段と前記表示ランプをＬＥＤ素子としたことにより、消費電力が小さく省エネになるとともに、ＬＥＤ素子そのものが小さいく発熱量も小さいので、外扉の奥行き寸法を小さくでき、自動販売機全体の奥行き寸法をコンパクト設計できるので、設置スペースの効率化を図ることが出来る。
【００２３】
請求項４に記載の発明は、請求項３に記載の発明にさらに、商品見本パネルと表示ランプの間に、透明樹脂製の導光部材を備え、前記導光部材によって前記表示ランプの光源を前記商品見本パネルに導くものであり、ランプの光が効果的に化粧パネルに伝わると共に、化粧パネルに照射する照明が、ランプ本体に遮られることなく化粧パネルの正面の全面が明るく表示できる。
【００２４】
請求項５に記載の発明は、自動販売機の外扉前面に設けられ視認可能に形成された樹脂製の化粧パネルを有し、前記化粧パネルの後方に商品見本パネルと、前記商品見本パネルを後方から照らす照明手段と、販売状況等を表示する表示ランプと、押圧動作により作動する商品選択スイッチとを有する商品展示スペースを備えた自動販売機において、前記商品展示スペースは隣合う前記商品見本パネルを区画形成する照明ケース体を備え、前記照明ケース体には少なくとも前記照明手段と前記表示ランプとが配置固定され、ユニット化したものであり、商品見本パネルごとに商品展示スペースが区画形成されるので、あらかじめ照明ケース体をユニット化しておくことで、作業効率を高めることができる。
【００２５】
以下、本発明の実施の形態について、図面を参照しながら説明するが、従来例または先に説明した実施の形態と同一構成については同一符号を付して、その詳細説明は省略する。なお、この実施の形態によってこの発明が限定されるものではない。
【００２６】
（実施の形態１）
図１は、本発明の実施の形態１における自動販売機の正面図である。図２は図１のＡ−Ａ断面図である。
【００２７】
図１において、自動販売機本体３０の前面に外扉３１が開閉自在に備えられ、外扉３１の前面部には、商品見本パネル３２を展示した商品展示部３３が構成されている。商品展示部３３は、樹脂製の透明板で形成された矩形状の化粧パネル３４が個々に独立形成されて構成されている。図１の場合、複数個の化粧パネル３４が群となって、外扉３１の左右に分かれて構成され、その間に広告パネル３５を形成している。また商品見本パネル３２は紙や樹脂プレートに商品のイメージ体がプリントされたものである。各々の化粧パネル３４の下部には商品選択ボタン３８が構成されている。
【００２８】
商品展示部３３の下方には、金銭投入部３６を有し、外扉３１の下部には選択された商品を排出する商品取出口３７が備えられている。
【００２９】
次に商品展示部の構造について説明する。
【００３０】
図２のように、商品の種類ごとに個々に構成された化粧パネル３４の下部で、外扉３１にその商品を選択操作する商品選択ボタン３８が形成され、その商品選択ボタン３８は断面略コ字形状をしたボタン支持部材３９で支持されている。
【００３１】
商品展示部３３で、化粧パネル３４の後方には商品展示スペース４０が形成されており、化粧パネル３４の上下部には、この商品展示スペース４０を区画する区画壁４１が構成されている。区画壁４１は、商品展示スペース４０の背面を仕切る回動自在な内扉４２まで延在して構成されている。
【００３２】
また、商品展示スペース４０内には商品見本パネル３２を後方から照明する照明手段４３を有している。照明手段４３はＬＥＤ素子を用いたものである。
【００３３】
また、区画壁４１は商品展示スペース４０内方向に形成されたパネル支持部４１ａを一体に形成し、商品見本パネル３２はパネル支持部４１ａと化粧パネル３４の間に挟んで支持されている。このとき、商品見本パネル３２と化粧パネル３４との間に空間部４４が形成されるように化粧パネル３４の上下部に段部３４ａを形成している。
【００３４】
このように、照明手段４３は化粧パネル３４毎に設けられ、商品展示スペース４０の上下、左右（図示しない）を区画する区画壁４１によって、隣り合う商品の商品展示スペースと区画するので、照明の洩れが無く、個別点灯しても互いに干渉することなくアピール度を維持することができる。
【００３５】
上記のように、外扉３１側に商品見本パネル３２、化粧パネル３４、商品選択ボタン３８、区画壁４１が固定され、内扉４２側にＬＥＤ素子４３が配置固定されるので、内扉４２を開けたとき、商品展示スペース４０内に手を入れて商品見本パネル３２を交換しやすい。
【００３６】
また区画壁４１は上下、左右個別の区画壁としたが、化粧パネルに対応するケース体として構成してもよく、ケース体にＬＥＤ素子４３を取付けることで、ユニットとして形成されるので、作業効率を向上することができる。
【００３７】
以上のように構成された自動販売機について、以下その動作、作用について説明する。
【００３８】
各設置先に応じた販売商品が決定すると、外扉３１と内扉４２を開け、区画壁４１の前面に設けたパネル支持部４１ａと化粧パネル３４との間の隙に商品見本パネル３２を差込む。上記操作を繰返し、全ての商品見本パネル３２の取付けが終わり、再度内扉４２を閉めて取付け操作が完了する。
【００３９】
電源を入れて運転を開始するが、ＬＥＤ素子４３は区画された商品展示スペース４０内で点灯し、対向する位置に設けた商品見本パネル３２に照射されプリントされた商品イメージは明るく表示される。
【００４０】
すなわち、商品見本パネル３２は販売制御の設定により個別に点灯や消灯またはＬＥＤ素子４３の種類によって色彩を変化させたり、照度が変更可能になり、例えば販売待機時にはＬＥＤ素子４３を部分的に点滅させることや、販売時には選択したことを示すためにＬＥＤ素子４３を点滅させるなど色々な点灯が可能になる。
【００４１】
以上のように本実施例の形態においては、各商品見本パネル３２の商品展示スペース４０を区画形成することで、商品見本パネル３２の照明の点灯、消灯等が個別に可能になり、設置場所や販売商品に合った照明制御が行なえるので広告効果の高い表示を行うことができる。
【００４２】
また、商品見本パネル３２がシート状であり、照明手段としてＬＥＤ素子４３を適用することで、商品展示スペース４０内の奥行き寸法を低減でき、外扉３１の奥行き寸法を低減できるので、自動販売機の設置スペースのスペース効率を向上できる。
【００４３】
また、実施の形態１の場合、化粧パネル３４を商品ごとに個別形成したが、化粧パネル３４と商品選択ボタン３８とは連動しないので、横並びに配置される商品見本パネル３２に対応して、複数の化粧パネル３４を横方向に一体形成してもよい。これによって、作業効率を向上できる。
【００４４】
（実施の形態２）
図３は、本発明の実施の形態２における自動販売機の正面図である。図４は図３のＢ−Ｂ断面図である。
【００４５】
図において、透明樹脂材で形成された略矩形状の化粧パネル４５は断面略コ字状に形成されており、化粧パネル４５の後方には、商品展示スペース４６を形成する照明ケース体４７が配置され、上下、左右（図示しない）の隣り合う別の化粧パネルの商品展示スペースと区画形成されている。化粧パネル４５の上端部には、化粧パネル４５の全幅に亘り水平方向に円筒形状をしたパネルヒンジ部４５ａを形成し、商品展示スペース４６を区画する照明ケース体４７に一体形成されたパネル支持部４７ａに回動自在に係合している。
【００４６】
また化粧パネル４５の上下部に一体形成したパネル支持面４５ｂを備え、商品見本パネル４９が挿入されるパネル溝４５ｃが構成され、商品見本パネル４９が挿入されている。
【００４７】
商品見本パネル４９と化粧パネル４５との間には空間部５０が形成されるように隙間を空けて構成されている。
【００４８】
また照明ケース体４７は外扉３１とケース支持部材４８を介してビス固定されている。そして商品見本パネル４９の後方で、商品展示スペース４６内には、商品見本パネル４９を照明する照明手段５１を配し、照明手段５１の下部には商品の販売状況を表示する表示ランプ５２を配し、表示ランプ５２の下部には、接点の開閉により電気信号を自動販売機の制御部に伝える商品選択スイッチ５３が配置されている。
【００４９】
化粧パネル４５の下部には、商品選択スイッチ５３に対応する位置に、押圧部４５ｄが一体に形成され、化粧パネル４５がパネルヒンジ部４５ａを軸に前後に回動したときに押圧部４５ｄが商品選択スイッチ５３を押す構成となっている。
【００５０】
照明手段５１はＬＥＤ素子を用いたものであり、商品見本パネル４９と所定寸法の隙を設けて配置されている。
【００５１】
表示ランプ５２は、「販売可能」や「売切れ」等の表示内容を示すＬＥＤ素子を用いたランプであり、実施例の場合、２つのＬＥＤ素子５２ａ、５２ｂを上下に配置し、商品見本パネル４９にプリントされた「販売可能」や「売切れ」等の表示内容を化粧パネル４５の表面から見えるように点灯表示させる。
【００５２】
表示ランプ５２と商品見本パネル４９の間には表示ランプ５２の光源を化粧パネル４５の表示面に伝える導光部材５４を備えている。導光部材５４は透明の樹脂製で形成され、表示ランプ５２から商品見本パネル４９に向かって広がる形状に形成されており、表示内容が化粧パネル４５を通して鮮明に表示されるようになっている。取付けは、化粧パネル４５の下端縁に形成した挿入溝４５ｃに挿入固定されている。
【００５３】
以上のように構成された自動販売機について、以下その動作を説明する。
【００５４】
利用者が商品を購入する場合、希望する商品の化粧パネル４５の表示が「販売可能」であれば、金銭投入部３６に金銭を投入したときに、ＬＥＤ素子５１が光源となって商品見本パネル４９を照明し、購入可能であることを利用者にアピールする。表示ランプ５２により「売切れ」が表示されている場合は、ＬＥＤ素子５１は点灯しない。
【００５５】
そして「販売可能」表示となっている化粧パネル４５を押圧操作することで、商品展示スペース４６内に配置している商品選択スイッチ５３を連動させて電気信号を自動販売機の制御部に伝え、商品を購入することができる。
【００５６】
上記の場合、外扉３１側に、照明ケース体４７に回動支持した商品見本パネル４９を挿入固定する化粧パネル４５と商品選択スイッチ５３とを固定し、内扉側にＬＥＤ素子５１と表示ランプ５２を固定しているので、商品見本パネル４９を外扉３１の内側から手を入れて交換しやすく、また化粧パネル４５と商品選択スイッチ５３とが外扉３１側に固定されているので、位置関係のバラツキを低減でき、スイッチの接点不良や誤動作などを低減することができる。
【００５７】
また、ＬＥＤ素子５１と表示ランプ５２を照明ケース体４７に固定してもよく、これにより外扉３１の開閉によっても、表示ランプ５２と商品見本パネル４９との位置関係を固定することができ、化粧パネル４５を通して販売状況表示をはっきり鮮明に表示でき、表示精度を向上させることができる。
【００５８】
またＬＥＤ素子は消費電力が小さく省エネになるとともに、ＬＥＤ素子そのものが小さいく発熱量も小さいので、外扉の奥行き寸法を小さくでき、自動販売機全体の奥行き寸法をコンパクト設計できるので、設置スペースの効率化を図ることが出来る。
【００５９】
また、導光部材５４によって表示ランプ５２の光源を商品見本パネル４９に導くものであり、ランプの光が効果的に化粧パネル４５に伝わると共に、化粧パネル４５に照射するＬＥＤ素子５１が、表示ランプ５２に遮られることなく化粧パネル４５の正面の全面が干渉されず明るく表示できる。
【００６０】
（実施の形態３）
図５は、本発明の実施の形態３における自動販売機の正面図である。図６は図５のＣ−Ｃ断面図である。図７は図５のＤ−Ｄ断面図である。
【００６１】
図において、自動販売機７０の外扉７１前面の商品展示部７２には格子状に形成されたパネル保持部材７３が構成されている。パネル保持部材７３は断面略コ字状に形成された第１パネル保持部材７３ａが上下方向に複数形成され、左右方向には断面略円状の第２パネル保持部材７３ｂが複数形成されている。パネル保持部材７３の前後配置関係は、前方に第２パネル保持部材７３ｂが、後方に第１パネル保持部材７３ａが配置するように格子状に形成されている。また透明樹脂材で形成された略矩形状の化粧パネル７４は断面略コ字状に形成されており、第２パネル保持部材７３ｂを軸に可動自在に係合するパネル支持溝７４ａを構成している。すなわち、化粧パネル７４は第２パネル保持部材７３ｂを前方から覆うように引っ掛けられているので、正面から第２パネル保持部材７３ｂが見えないように構成されている。また第１パネル保持部材７３ａの略コ字状部内には化粧パネル７４と隣合う化粧パネルの左右フランジ部７４ｂが前方から配置するように形成している。
【００６２】
商品見本パネル７５は化粧パネル７４内に密着するように、化粧パネル７４に一体形成したパネル支持溝７４ｃに挿入されている。
【００６３】
化粧パネル７４の後方には照明ケース体７６があり、化粧パネル７４の後方にある商品展示スペース７７を区画し、上下、左右の隣り合う別の化粧パネルの後方空間と仕切っている。照明ケース体７６内には、商品見本パネル７５を後方から照明するＬＥＤ素子７８を有し、商品見本パネル７５の下部にプリントされた販売状況表示を後方から照明し化粧パネル７４を介して表示する表示ランプ７９が複数個備えられている。
【００６４】
また化粧パネル７４の下部フランジ部７４ｄの押圧動作によって連動する商品選択スイッチ８０が照明ケース体７６内下部に配置している。また表示ランプ７９と商品見本パネル７５の間には、実施の形態２で説明した導光部材５４が構成されている。
【００６５】
つまり、化粧パネル７４ごとに照明ケース体７６が形成され、内部にＬＥＤ素子７８と表示ランプ７９と商品選択スイッチ８０が配置されており、機械的には独立して区画され、電気的には連動可能に配線され、他のＬＥＤ素子７８と連動させて点灯や消灯、照度等を変更可能にしている。
【００６６】
このように、外扉７１の前面の商品展示部７２において、商品展示スペース７７の前面に格子状のパネル保持部材７３ａ、７３ｂを構成し、商品見本を表示する複数の商品見本パネル７５を挿入した複数の樹脂製の化粧パネル７４を第２パネル保持部材７３ｂに可動自在係合させて、商品展示部７２を形成し、商品見本ごとに照明ケース体７６を構成し商品展示スペース７７を区画して、内部に商品選択スイッチ８０を備えることで、従来の商品選択ボタンのスペースを化粧パネルのスペースにできるので、隣り合う化粧パネル７４を近接させてワイドに配置構成できる。
【００６７】
また照明ケース体７６の後面を覆う内扉４２が形成され、ＬＥＤ素子７８の照明方向を前方向に集約するように構成されている。
【００６８】
以上のように構成された自動販売機について、以下その動作を説明する。
【００６９】
利用者が商品を購入する場合、希望する商品の化粧パネル７４の表示が「販売可能」であれば、金銭投入部３６に金銭を投入したときに、ＬＥＤ素子７８が光源となって商品見本パネル７５を任意にあるいは販売可能商品すべてを照明し、購入可能であることを利用者にアピールする。表示ランプ７９により「売切れ」が表示されている場合は、ＬＥＤ素子７８は点灯しない。
【００７０】
そして「販売可能」表示となっている化粧パネル７４を押圧操作することで、商品展示スペース７７内に配置している商品選択スイッチ８０を連動させて電気信号を自動販売機の制御部に伝え、商品を購入することができる。
【００７１】
また、化粧パネル７４の下部フランジ部７４ｄに一体形成したパネル支持部７４ｅは、下方に配置されている別の第２パネル保持部材７３ｂと第１パネル保持部材７３ａとの間で可動自在に保持されている。
【００７２】
つまり化粧パネル７４間の仕切りとなる第２パネル保持部材７３ｂは下部化粧パネル７４を回転可能に係合し、上部化粧パネル７４を回転可動範囲の規制として係合しているので、上下化粧パネル７４間を接近配置することができるので商品見本パネル７５を大きく表示することができ商品アピールを高めることができる。
【００７３】
このように化粧パネル７４が商品見本の役割と商品選択ボタンとの役割をするので、間違えて違う商品を選択するのを低減することができる。
【００７４】
また、商品見本パネル７５はプリント表示された商品のイメージシートであり、いろいろな形態でアピールできるようにプリント表示ができる。特に、実施例の場合、隣り合う化粧パネル７４間に枠体等の補強部材が表面にないので近接配置でき、複数の化粧パネル７４に挿入された商品見本パネル７５を合せて、１つの商品イメージ体を形成できるので、商品アピールをさらに高め、購買意欲を促進できる。
【００７５】
また商品見本パネル７５は化粧パネル７４に内側から密着して掲載されるので、ＬＥＤ素子７８で照明されても、化粧パネル７４の影が外から見えるのを低減でき、商品見本パネル７５と化粧パネル７４の間に空間部が形成されないので、外から見ても化粧パネル７４の内壁が現れないので、特に複数の化粧パネル７４で１つの商品見本パネルを構成する場合、化粧パネル間と、化粧パネルと商品見本パネル間に余計な隙が入るのをなくしているので、どんな角度で見ても商品見本をリアルに表示することができる。
【００７６】
また、自動販売機管理者は、商品見本パネル７５が樹脂製のシート状に形成されているので、設置時や商品見本パネルの取り換え時など、従来の立体的な商品サンプルと比較すると、かさばることがなく、持ち運びが便利である。
【００７７】
また、商品見本パネル７５がシート状であるので、商品展示スペース７７の奥行き寸法を薄くすることができるので、自動販売機全体の奥行き寸法を低減し、設置スペースのスペース効率を向上させることができる。
【００７８】
また、格子状に形成されたパネル保持部材７３で、隣り合う第１パネル保持部材７３ａは外扉３１の外側に向かって前方に配置することで、外扉３１の中心から湾曲形状に商品展示部３３を形成できるので、自動販売機全体としてアピールすることができ、さらに購買意欲を促進できる。
【００７９】
また、図６の場合、外扉３１側には、パネル保持部材７３に商品見本パネル７５を挿入した化粧パネル７４と、少なくとも商品選択スイッチ８０とを固定しているので、外扉３１を開放して商品見本パネル７５を取り換えた時でも、化粧パネル７４と商品選択スイッチ８０とは外扉の開閉と一緒に動作するので、位置関係のバラツキを低減でき、スイッチの接点不良や誤動作などを低減することができる。
【００８０】
また、外扉３１側にパネル保持部材７３に商品見本パネル７５を挿入した化粧パネル７４と、内扉４２側に照明ケース体７６とＬＥＤ素子７８と商品選択スイッチ８０等を固定することで、外扉３１を開放して商品見本パネル７５を取り換えるとき、内扉側に照明用の機能部品やスイッチ部品等が固定されているので、外扉３１の内側から商品見本パネル７５を交換しやすく、作業性を向上することができる。
【００８１】
また、化粧パネル７４をバネ付勢させて常時、自動販売機の前方側に付勢力がかかるようにすることで、商品選択スイッチ８０との接触不良等を低減することができ、化粧パネル７４の押圧動作に節度感を持たせることができる。
【００８２】
特に、隣り合う化粧パネル７４間にはわずかな空気層があるだけなので、複数の化粧パネル７４を合せて１つの商品見本を形成することができ、その部分だけを点灯表示したり、ＬＥＤ素子７８による照明制御を自由に行うことができ、より迫力ある表示が可能のなり、商品購入者へのアピール及び中身商品の判り易い案内を行うことができる。
【００８３】
また、照明ケース体７６で区画しているので、隣り合うＬＥＤ素子７８の照明に干渉されることがなく、個々の商品見本パネル７５を照明することができる。
【００８４】
また商品購入者は化粧パネルの押圧操作により、購入する商品の選択が可能となり、扉正面への商品選択釦が不要となるため、その分のスペースで化粧パネルの拡大化が図れ、商品購入者への表示内容の理解が高まる。さらには電照面積の拡大により、明るい化粧パネルで宣伝効果が増加することができる。
【産業上の利用可能性】
【００８５】
以上のように、本発明にかかる自動販売機は、化粧パネルを個別点灯又は消灯等が可能になり、特に推奨したい商品には点灯方法や照度、色彩等を変更し、商品購入者への商品アピールが向上し、宣伝効果を高めることや、自動販売機全体のデザインイメージを変えることにもなり、カップ式自動販売機や店舗等のショウウィンドや標識板等の用途にも適用できる。
【図面の簡単な説明】
【００８６】
【図１】本発明の実施の形態１における自動販売機の正面図
【図２】図１のＡ−Ａ断面図
【図３】本発明の実施の形態２における自動販売機の正面図
【図４】図３のＢ−Ｂ断面図
【図５】本発明の実施の形態３における自動販売機の正面図
【図６】図５のＣ−Ｃ断面図
【図７】図５のＤ−Ｄ断面図
【図８】従来の自動販売機の正面図
【図９】従来の自動販売機のディスプレイ装置を示す図
【図１０】従来の自動販売機の要部図
【符号の説明】
【００８７】
３１，７１  外扉
３２，４９，７５  商品見本パネル
３４，４５，７４  化粧パネル
４０，７７  商品展示スペース
４３，５１  照明手段
４７，７６  照明ケース体
５２ａ，５２ｂ，７８  ＬＥＤ素子
５２，７９  表示ランプ
５３，８０  商品選択スイッチ
【図１】
2007293483.tif 000003
【図２】
2007293483.tif 000004
【図３】
2007293483.tif 000005
【図４】
2007293483.tif 000006
【図５】
2007293483.tif 000007
【図６】
2007293483.tif 000008
【図７】
2007293483.tif 000009
【図８】
2007293483.tif 000010
【図９】
2007293483.tif 000011
【図１０】
2007293483.tif 000012